(57)【要約】スパーを低減するための装置が説明される。装置は、粗いデジタル／アナログ変換器（ＤＡＣ）を含む。装置はまた、補正項生成器を含む。補正項生成器は、補正項を生成する。補正項は、粗いデジタル／アナログ変換器（ＤＡＣ）のダイナミックレンジ内の振幅を有する。装置はまた、ベースバンドフィルタを含む。補正項は、ベースバンドフィルタが補正項を伝送信号内のスパーに近い振幅へ低減するように選択される。補正項は、スパーを低減するように使用される。【選択図】図２
2015507447.tif 000002
【特許請求の範囲】
【請求項１】
スパーを低減するための装置であって、
粗いデジタル／アナログ変換器と
補正項を生成する補正項生成器と、ここにおいて、前記補正項は、前記粗いデジタル／アナログ変換器のダイナミックレンジ内の振幅を有する、
ベースバンドフィルタと
を備え、
前記補正項は、前記ベースバンドフィルタが前記補正項を伝送信号内のスパーのそれに近い振幅へ低減するように選択され、前記補正項は、前記スパーを低減するために使用される、
装置。
【請求項２】
前記スパーは、前記粗いデジタル／アナログ変換器の前記ダイナミックレンジより低い振幅を有する、請求項１に記載の装置。
【請求項３】
前記補正項を前記伝送信号へ加算するデジタル加算器をさらに備える、請求項１に記載の装置。
【請求項４】
局部発振器信号を生成する局部発振器信号生成器と、
アップコンバータと、ここにおいて、前記スパーは、前記アップコンバータによって前記伝送信号に導入される、
をさらに備える、請求項１に記載の装置。
【請求項５】
ドライバ増幅器と、ここにおいて、前記スパーは、前記ドライバ増幅器によって前記伝送信号に導入される、をさらに備える、請求項１に記載の装置。
【請求項６】
前記補正項は、所望補正項振幅および所望補正項周波数を備える、請求項１に記載の装置。
【請求項７】
前記所望補正項周波数は、前記スパーの周波数に基づく、請求項６に記載の装置。
【請求項８】
前記所望補正項振幅は、前記スパーの振幅に基づく、請求項６に記載の装置。
【請求項９】
前記所望補正項振幅は、帯域外輻射仕様に対応する所望出力対スパー振幅差分に基づく、請求項６に記載の装置。
【請求項１０】
前記所望補正項振幅は、無線通信のためのロングタームエボリューション規格に対応する所望出力対スパー振幅差分に基づく、請求項６に記載の装置。
【請求項１１】
前記補正項の位相は、前記補正項が前記スパーの振幅を低減するように、前記スパーの位相からオフセットされる、請求項６に記載の装置。
【請求項１２】
前記補正項の前記振幅は、前記伝送信号の振幅とほぼ同じである、請求項１に記載の装置。
【請求項１３】
前記伝送信号内の前記スパーの周波数は、前記伝送信号の周波数を超える、請求項１に記載の装置。
【請求項１４】
前記補正項生成器は、複数の周波数の範囲にわたって複数のスパーを低減するために、前記複数の周波数の範囲にわたって複数の補正項を生成する、請求項１に記載の装置。
【請求項１５】
スパーを低減するための方法であって、
補正項を生成することと、
デジタルドメインにおいて前記補正項を伝送信号へ加算することと、
粗いデジタル／アナログ変換器を使用して、前記伝送信号を前記デジタルドメインからアナログドメインへ変換することと、
ベースバンドフィルタを使用して、前記伝送信号をフィルタリングすることと、ここにおいて、前記ベースバンドフィルタは、前記補正項の振幅を低減する、
前記低減された補正項を使用して、前記伝送信号内のスパーを低減することと、
を備える方法。
【請求項１６】
前記スパーは、前記粗いデジタル／アナログ変換器のダイナミックレンジより低い振幅を有する、請求項１５に記載の方法。
【請求項１７】
局部発振器信号生成器を使用して、局部発振器信号を生成することと、
アップコンバータおよび前記局部発振器信号を使用して、前記伝送信号をアップコンバートすることと、
をさらに備え、
前記スパーは、前記アップコンバータによって前記伝送信号に導入される、
請求項１５に記載の方法。
【請求項１８】
ドライバ増幅器を使用して、前記伝送信号を増幅することをさらに備え、前記スパーは、前記ドライバ増幅器によって前記伝送信号に導入される、請求項１５に記載の方法。
【請求項１９】
前記補正項は、所望補正項振幅および所望補正項周波数を備える、請求項１５に記載の方法。
【請求項２０】
前記所望補正項周波数は、前記スパーの周波数に基づく、請求項１９に記載の方法。
【請求項２１】
前記所望補正項振幅は、前記スパーの振幅に基づく、請求項１９に記載の方法。
【請求項２２】
前記所望補正項振幅は、帯域外輻射仕様に対応する所望出力対スパー振幅差分に基づく、請求項１９に記載の方法。
【請求項２３】
前記所望補正項振幅は、無線通信のためのロングタームエボリューション規格に対応する所望出力対スパー振幅差分に基づく、請求項１９に記載の方法。
【請求項２４】
前記補正項の位相は、前記補正項が前記スパーの振幅を低減するように、前記スパーの位相からオフセットされる、請求項１９に記載の方法。
【請求項２５】
前記補正項の振幅は、前記伝送信号の振幅とほぼ同じである、請求項１５に記載の方法。
【請求項２６】
前記スパーの周波数は、前記伝送信号の周波数を超える、請求項１５に記載の方法。
【請求項２７】
周波数範囲にわたって複数のスパーを低減するために、前記周波数範囲にわたって複数の補正項を生成することをさらに備える、請求項１５に記載の方法。
【請求項２８】
補正項を生成することは、スパー周波数およびスパー振幅を識別することを備える、請求項１５に記載の方法。
【請求項２９】
補正項を生成することは、前記粗いデジタル／アナログ変換器のダイナミックレンジを決定することをさらに備える、請求項２８に記載の方法。
【請求項３０】
補正項を生成することは、前記ベースバンドフィルタの周波数応答を得ることをさらに備える、請求項２９に記載の方法。
【請求項３１】
補正項を生成することは、所望出力対スパー振幅差分を決定することをさらに備える、請求項３０に記載の方法。
【請求項３２】
前記補正項を生成することは、所望補正項周波数および所望補正項振幅を得ることをさらに備える、請求項３１に記載の方法。
【請求項３３】
前記所望補正項周波数は、前記スパー周波数に基づく、請求項３２に記載の方法。
【請求項３４】
前記所望補正項振幅は、前記スパー振幅、前記粗いデジタル／アナログ変換器の前記ダイナミックレンジ、前記ベースバンドフィルタの前記周波数応答、および所望出力対スパー振幅差分に基づく、請求項３２に記載の方法。
【請求項３５】
前記補正項を生成することは、前記所望補正項周波数および前記所望補正項振幅を有する前記補正項を生成することをさらに備える、請求項３２に記載の方法。
【請求項３６】
スパーを低減するためのコンピュータプログラム製品であって、前記コンピュータプログラム製品は、命令を有する非一時的コンピュータ可読媒体を備え、前記命令は、
無線デバイスに補正項を生成させるためのコードと、
前記無線デバイスに、デジタルドメインにおいて前記補正項を伝送信号へ加算させるためのコードと、
前記無線デバイスに、粗いデジタル／アナログ変換器を使用して、前記伝送信号を前記デジタルドメインからアナログドメインへ変換させるためのコードと、
前記無線デバイスに、ベースバンドフィルタを使用して、前記伝送信号をフィルタリングさせるためのコードと、ここにおいて、前記ベースバンドフィルタは、前記補正項の振幅を低減する、
前記無線デバイスに、前記低減された補正項を使用して、前記伝送信号内のスパーを低減させるためのコードと、
を備える、コンピュータプログラム製品。
【請求項３７】
前記スパーは、前記粗いデジタル／アナログ変換器のダイナミックレンジより低い振幅を有する、請求項３６に記載のコンピュータプログラム製品。
【請求項３８】
前記補正項は、所望補正項振幅および所望補正項周波数を備える、請求項３６に記載のコンピュータプログラム製品。
【請求項３９】
前記所望補正項周波数は、前記スパーの周波数に基づく、請求項３８に記載のコンピュータプログラム製品。
【請求項４０】
前記所望補正項振幅は、前記スパーの振幅に基づく、請求項３８に記載のコンピュータプログラム製品。
【請求項４１】
前記補正項の位相は、前記補正項が前記スパーの振幅を低減するように、前記スパーの位相からオフセットされる、請求項３８に記載のコンピュータプログラム製品。
【請求項４２】
スパーを低減するための装置であって、
補正項を生成するための手段と、
デジタルドメインにおいて前記補正項を伝送信号へ加算するための手段と、
粗いデジタル／アナログ変換器を使用して、前記伝送信号を前記デジタルドメインからアナログドメインへ変換するための手段と、
ベースバンドフィルタを使用して、前記伝送信号をフィルタリングするための手段と、ここにおいて、前記ベースバンドフィルタは、前記補正項の振幅を低減する、
前記低減された補正項を使用して、前記伝送信号内のスパーを低減するための手段と、
を備える装置。
【請求項４３】
前記スパーは、前記粗いデジタル／アナログ変換器のダイナミックレンジより低い振幅を有する、請求項４２に記載の装置。
【請求項４４】
前記補正項は、所望補正項振幅および所望補正項周波数を備える、請求項４２に記載の装置。
【請求項４５】
前記所望補正項周波数は、前記スパーの周波数に基づく、請求項４４に記載の装置。
【請求項４６】
前記所望補正項振幅は、前記スパーの振幅に基づく、請求項４４に記載の装置。
【請求項４７】
前記補正項の位相は、前記補正項が前記スパーの振幅を低減するように、前記スパーの位相からオフセットされる、請求項４４に記載の装置。
【発明の詳細な説明】
【関連出願】
【０００１】
[0001]  本願は、参照により本明細書に組み込まれた、「CORRECTION OF SMALL SPURS IN TRANSMITTERS」に関する２０１２年２月１３日に出願された米国特許仮出願番号第６１／５９８，１３５号に関し、その優先権を主張する。
【技術分野】
【０００２】
[0002]  本開示は、一般に通信システムに関する。より具体的には、本開示は、送信機における小さなスパーの是正のためのシステムおよび方法に関する。
【背景技術】
【０００３】
[0003]  無線通信システムは、音声、ビデオ、データ等のような様々なタイプの通信コンテンツを提供するように広く展開されている。これらのシステムは、１つまたは複数の基地局との複数の無線通信デバイスの同時通信をサポートできる多元接続システムであり得る。
【０００４】
[0004]  デジタル信号処理は、無線通信システムおよびデバイスに対する利点を提供する。しかしながら、デジタル信号処理の使用は、伝送の前にデジタル信号をアナログ信号へ変換するためのデジタル／アナログ変換器（ＤＡＣ）を必要とし得る。さらに、変換されたアナログ信号は、フィルタ、増幅器、ミキサ等のような様々なアナログ回路を介して処理され得る。アナログ信号を処理する際、１つまたは複数のスパーが生成され得る。スパーは、受信機帯域ノイズを悪化させ、無線デバイスが帯域外輻射仕様（out-of-band emission specifications）を見捨てる原因となり得る。
【０００５】
[0005]  様々なスパー低減の技法が存在する。いくつかのスパー低減技法において、小さい方のスパーは、信号に悪影響をもたらすにも関わらず、低減または完全に取り除かれない。さらに、大きい方のスパーのみを取り除くことは、やはり無線デバイスが帯域外輻射仕様を見捨てる原因となり得る。恩恵が小さなスパーを低減する無線デバイスに対する改善で現実のものとなり得る。
【発明の概要】
【０００６】
[0006]  スパーを低減するための装置が説明される。装置は、粗いデジタル／アナログ変換器（ＤＡＣ）を含む。装置はまた、補正項を生成する補正項生成器を含む。補正項は、粗いデジタル／アナログ変換器（ＤＡＣ）のダイナミックレンジ内の振幅を有する。装置はまた、ベースバンドフィルタを含む。補正項は、ベースバンドフィルタが補正項を伝送信号内のスパーに近い振幅へ低減するように選択される。補正項は、スパーを低減するように使用される。スパーは、粗いデジタル／アナログ変換器（ＤＡＣ）のダイナミックレンジより低い振幅を有する。
【０００７】
[0007]  装置は、補正項を伝送信号へ加算するデジタル加算器を含み得る。装置はまた、局部発振器（ＬＯ）信号を生成する局部発振器（ＬＯ）信号生成器を含み得る。装置はまた、アップコンバータを含み得る。スパーは、アップコンバータによって伝送信号に導入され得る。装置はまた、ドライバ増幅器を含み得る。スパーは、ドライバ増幅器によって伝送信号に導入され得る。
【０００８】
[0008]  補正項は、所望補正項振幅および所望補正項周波数を含み得る。所望補正項周波数は、スパーの周波数に基づき得る。所望補正項周波数振幅は、スパーの振幅、帯域外輻射仕様に対応する所望出力対スパー振幅差分、または無線通信のためのロングタームエボリューション規格に対応する所望出力対スパー振幅差分に基づき得る。補正項の位相は、補正項が前記スパーの振幅を低減するように、スパーの位相からオフセットされ得る。
【０００９】
[0009]  補正項の振幅は、伝送信号の振幅とほぼ同じであり得る。伝送信号におけるスパーの周波数は、伝送信号の周波数を超える可能性がある。補正項生成器は、複数の周波数の範囲にわたって複数のスパーを低減するために、これら周波数の範囲にわたって複数の補正項を生成し得る。
【００１０】
[0010]  スパーを低減するための方法がまた説明される。方法は、補正項を生成することを含む。方法はまた、補正項をデジタルドメインにおいて伝送信号へ追加することを含む。方法はまた、粗いデジタル／アナログ変換器（ＤＡＣ）を使用して、伝送信号をデジタルドメインからアナログドメインへ変換することを含む。方法はまた、ベースバンドフィルタを使用して、伝送信号をフィルタリングすることを含む。ベースバンドフィルタは、補正項の振幅を低減する。方法はまた、低減された補正項を使用して、伝送信号においてスパーを低減することを含む。
【００１１】
[0011]  スパーを低減するためのコンピュータプログラム製品がまた説明される。コンピュータプログラム製品は、命令を有する非一時的コンピュータ可読媒体を含む。命令は、無線デバイスに、補正項を生成させるためのコードを含む。命令はまた、無線デバイスに、デジタルドメインにおいて伝送信号へ補正項を追加させるためのコードを含む。命令はまた、無線デバイスに、粗いデジタル／アナログ変換器（ＤＡＣ）を使用して、伝送信号をデジタルドメインからアナログドメインへ変換させるためのコードを含む。命令はまた、無線デバイスに、ベースバンドフィルタを使用して、伝送信号をフィルタリングさせるためのコードを含む。ベースバンドフィルタは、補正項の振幅を低減する。命令はまた、無線デバイスに、低減された補正項を使用して、伝送信号においてスパーを低減させるためのコードを含む。
【００１２】
[0012]  スパーを低減するための装置がまた説明される。装置は、補正項を生成するための手段を含む。装置はまた、補正項をデジタルドメインにおいて伝送信号へ追加するための手段を含む。装置はまた、粗いデジタル／アナログ変換器（ＤＡＣ）を使用して、伝送信号をデジタルドメインからアナログドメインへ変換するための手段を含む。装置はまた、ベースバンドフィルタを使用して、伝送信号をフィルタリングするための手段を含む。ベースバンドフィルタは、補正項の振幅を低減する。装置はまた、低減された補正項を使用して、伝送信号においてスパーを低減するための手段を含む。
【図面の簡単な説明】
【００１３】
【図１】図１は、本システムおよび方法における使用のための送信機に関する無線デバイスを図示するブロック図である。
【図２】図２は、送信機においてスパーを低減するための補正項伝送信号チェーン（correction term transmit signal chain）を図示するブロック図である。
【図３】図３は、伝送信号チェーンと補正項伝送信号チェーンとの間の比較を図示するブロック図である。
【図４】図４は、補正項を使用して、スパーの低減を示すグラフを図示する。
【図５】図５は、スパーを低減するための方法のフロー図である。
【図６】図６は、スパーを低減するためのより詳細な方法のフロー図である。
【図７】図７は、スパー周波数およびスパー振幅に基づいて補正項を生成するための方法のフロー図である。
【図８】図８は、基地局内に含まれ得る特定のコンポーネントを図示する。
【図９】図９は、無線デバイス内に含まれ得る特定のコンポーネントを図示する。
【発明を実施するための形態】
【００１４】
詳細な説明
[0022]  図１は、本システムおよび方法における使用ための無線デバイス１０２を示す。無線デバイス１０２は、無線通信デバイス、または基地局であり得る。無線デバイス１０２は、送信機１０４を含み得る。送信機１０４は、ベースバンド信号１１６においてスパーを低減するように使用され得る。より具体的には、送信機１０４は、補正項１１８を生成すること、および補正項１１８をデジタルドメインにおいてベースバンド伝送信号１１６へ加算することによってスパーを低減し得る。送信機１０４はまた、有線デバイス内で実現されることができ、無線システムまたはアンテナを介する伝送に制限されない。
【００１５】
[0023]  無線通信デバイスはまた、端末、アクセス端末、ユーザ機器（ＵＥ）、加入者ユニット、局、等とも呼ばれ、それらの機能性のいくつかまたはすべてを含み得る。無線通信デバイスは、セルラフォン、パーソナルデジタルアシスタント（ＰＤＡ）、ワイヤレスデバイス、ワイヤレスモデム、ハンドヘルドデバイス、ラップトップコンピュータ、ＰＣカード、コンパクトフラッシュ（登録商標）、外部または内蔵モデム、有線電話、等であり得る。ワイヤレス通信デバイスは、携帯できるまたは固定であり得る。無線通信デバイスは、いずれの所与の時においても、ダウンリンクおよび／またはアップリンクで０、１、または複数の基地局と通信し得る。ダウンリンク（または順方向リンク）は、基地局から無線通信デバイスへ通信リンクを指し、アップリンク（または逆方向リンク）は、無線通信デバイスから基地局への通信リンクを指す。アップリンクおよびダウンリンクは、通信リンクのために使用されるキャリアまたは通信リンクを指し得る。
【００１６】
[0024]  無線通信デバイスは、基地局等というような、他の無線デバイス１０２を含む無線通信システムにおいて実行され得る。基地局は、１つまたは複数の無線通信デバイスと通信する局である。基地局はまた、アクセスポイント、ブロードキャスト送信機、ノードＢ、発展型ノードＢ、等と呼ばれることができ、それらの機能のうちのいくつかまたはすべてを含み得る。各基地局は、特定の地理的領域に対して、通信カバレッジを提供する。基地局は、１つまたは複数の無線通信デバイスに対して、通信カバレッジを提供し得る。「セル」という用語は、用語が使用されるコンテキストに応じて、基地局および／またはそのサービスエリアを指すことができる。
【００１７】
[0025]  無線通信システムにおける通信（例えば、多元接続システム）は、無線リンクを介する伝送を通して達成され得る。このような通信リンクは、単一入力単一出力（ＳＩＳＯ）、または多入力多出力（ＭＩＭＯ）システムによって確立され得る。多入力多出力（ＭＩＭＯ）システムは、データ伝送のために複数の（ＮＴ）伝送アンテナおよび複数の（ＮＲ）受信アンテナをそれぞれ装備した送信機および受信機を含む。ＳＩＳＯシステムは、多入力多出力（ＭＩＭＯ）システムの特定の事例であり得る。多入力多出力（ＭＩＭＯ）システムは、複数の伝送アンテナおよび受信アンテナによって生成される追加の次元が利用される場合に、改善された性能（例えば、より高い処理能力、より大きな容量、または改善された信頼性）を提供できる。
【００１８】
[0026]  無線通信システムは、単一入力多出力（ＳＩＭＯ）、および他入力多出力（ＭＩＭＯ）の両方を使用し得る。無線通信システムは、利用可能なシステムリソース（例えば、帯域幅および伝送電力）を共有することによって、複数の無線デバイスとの通信をサポートできる多元接続システムであり得る。このような多元接続システムの例は、符号分割多元接続（ＣＤＭＡ）システム、広帯域符号分割多元接続（Ｗ−ＣＤＭＡ）システム、時分割多元接続（ＴＤＭＡ）システム、周波数分割多元接続（ＦＤＭＡ）システム、直交周波数分割多元接続（ＯＦＤＭＡ）システム、シングルキャリア周波数分割多元接続（ＳＣ−ＦＤＭＡ）システム、第三世代パートナーシッププロジェクト（３ＧＰＰ）ロングタームエボリューション（ＬＴＥ）システム、および空間分割多元接続（ＳＤＭＡ）システムを含む。
【００１９】
[0027]  無線デバイス１０２は、送信機１０４を含み得る。ベースバンド伝送信号１１６は、ベースバンド周波数において所望伝送信号を含み得る。送信機１０４は、伝送信号１２０を得るためにベースバンド伝送信号１１６を得ることができ、伝送の前に伝送信号１２０に導入され得る１つまたは複数のスパーを低減する。送信機１０４は、補正項生成器１０６、デジタル加算器１０８、デジタル／アナログ変換器（ＤＡＣ）１１０、およびベースバンドフィルタ１１２を含み得る。送信機１０４はまた、追加のアナログ回路１１４を含み得る。ベースバンド伝送信号１１６が送信機１０４によって処理される一方、１つまたは複数のスパーは、（例えば、アナログ回路１１４によって）導入されることができ、それは無線デバイス１０２によって伝送された伝送信号１２０の品質を悪化させる。
【００２０】
[0028]  スパーは、送信機１０４が処理することを意図されるバンドの外側にある無線デバイス１０２内で生成された１つまたは複数の信号を含む。無線デバイス１０２の伝送信号チェーン内のスパーは、伝送信号１２０を妨げ得る。スパーはまた、スプリアストーン（spurious tone）、干渉トーン、ロングタームエボリューション（ＬＴＥ）４ｆｍｏｄターム（4fmod term）、スプリアス輻射（spurious emission）、または出力輻射（output emission）とも呼ばれ得る。スパーは、１つの特定の周波数において単一のトーンであり得る。スパーはまた、複数の周波数の範囲内の複数のトーンを含み得る。無線デバイス１２０内の伝送信号１２０は、１つまたは複数のスパーを含み得る。
【００２１】
[0029]  スパーは、無線デバイス１０２内の回路によって、伝送信号１２０に伝わり得る。無線デバイス１２０内の様々なコンポーネントは、１つまたは複数のスパーを導入し得る。例えば、位相ロックループ（ＰＬＬ）、電圧制御発振器（ＶＣＯ）、局部発振器（ＬＯ）、増幅器（例えば、ドライバ増幅器）、または他のアナログ回路１１４は、１つまたは複数のスパーを伝送信号１２０に導入し得る。いくつかの構成において、１つまたは複数のスパーは、フロントエンド回路から、または無線デバイス１０２の受信機において、等といったような、送信機１０４による処理の前に導入され得る。
【００２２】
[0030]  補正項生成器１０６は、１つまたは複数のスパーをキャンセルまたは低減するために、無線デバイス１０２によって使用され得る。補正項生成器１０６は、送信機１０４内で実現され得る。補正項生成器１０６は、１つまたは複数のスパーを低減するために、１つまたは複数の補正項１１８を生成し得る。補正項１１８は、補正項１１８に対応する周波数および振幅に関してスパーをキャンセルまたは低減するために使用され得る。例えば、補正項１１８は、スパーと同じ周波数における信号であり得るが、異なる位相を有する。補正項１１８は、デジタルドメインにおいてベースバンド伝送信号１１６に導入され得る。補正項１１８の位相および振幅を調整することによって、補正項１１８およびスパーは、互いにキャンセルまたは低減し得る。
【００２３】
[0031]  補正項生成器１０６は、特定の周波数および振幅を有する補正項１１８を生成し得る。補正項１１８の周波数および振幅を決定するとファクタの様々な種類のファクタが考慮され得る。例えば、補正項１１８の周波数は、識別されたスパーの周波数に基づき得る。補正項１１８の振幅を決定することにおいて考慮され得るファクタは、スパーの振幅、スパーの周波数、ベースバンドフィルタ１１２のフィルタパス、送信機１０４の仕様、無線デバイス１０２の仕様、無線デバイス１０２の仕様、デジタル／アナログ変換器（ＤＡＣ）１１０のダイナミックレンジ、伝送信号１２０と低減されたスパーとの間の望ましい比率、および帯域外輻射仕様を含むことができる。いくつかの構成において、補正項１１８の振幅は、無線通信のためのロングタームエボリューション（ＬＴＥ）に従った望ましい振幅に対するスパーを低減することに基づいて決定され得る。さらに、補正項１１８の周波数および振幅を調節することに関する他のファクタもまた、補正項１１８の周波数および振幅を決定する場合に使用され得る。
【００２４】
[0032]  補正項生成器１０６は、補正項１１８をデジタル加算器１０８へ提供し得る。デジタル加算器１０８は、ベースバンド伝送信号１１６と補正項１１８とを結合し得る。デジタル加算器１０８の出力は、デジタル／アナログ変換器（ＤＡＣ）１１０に提供され得る。従って、ベースバンド伝送信号１１６は、補正項１１８を含んでおり、デジタル／アナログ変換器（ＤＡＣ）１１０を介して、デジタル信号からアナログ信号へ変換され得る。いくつかの構成において、デジタル／アナログ変換器（ＤＡＣ）１１０は、狭いダイナミックレンジのデジタル値を有する、粗いデジタル／アナログ変換器（ＤＡＣ）１１０であり得る。粗いデジタル／アナログ変換器（ＤＡＣ）１１０は、無線デバイス１０２のコストを低減するように使用され得る。
【００２５】
[0033]  デジタル／アナログ変換器（ＤＡＣ）１１０は、デジタル／アナログ変換器（ＤＡＣ）１１０が、制限されたダイナミックレンジの処理を有する場合、デジタル／アナログ変換器（ＤＡＣ）が制限された範囲の振幅内のデジタル信号のみを渡すことができるように、デジタル／アナログ変換器（ＤＡＣ）１１０であり得る。例えば、デジタル／アナログ変換器（ＤＡＣ）１１０は、ベースバンド伝送信号１１６はデジタル／アナログ変換器（ＤＡＣ）１１０のダイナミックレンジ内に収まる が、１つまたは複数のスパーは、デジタル／アナログ変換器（ＤＡＣ）１１０のダイナミックレンジ内に収まらない場合、粗いデジタル／アナログ変換器（ＤＡＣ）１１０であり得る。
【００２６】
[0034]  粗いデジタル／アナログ変換器（ＤＡＣ）１１０が使用される場合、補正項１０６は、デジタル／アナログ変換器（ＤＡＣ）１１０のダイナミックレンジ内に十分収まる大きさの補正項１１８を生成することによって、制限されたデジタル／アナログ変換器（ＤＡＣ）１１０の範囲を補い得る。幾つかのケースにおいて、補正項１１８は、伝送信号１２０の振幅より少し小さいか、または大体同じ振幅であり得る。
【００２７】
[0035]  デジタル／アナログ変換器（ＤＡＣ）１１０の出力は、ベースバンドフィルタ１１２と結合され得る。ベースバンドフィルタ１１２は、所望伝送信号の周波数上の１つまたは複数の信号をフィルタリングまたは低減するための回路を含み得る。上述されたように、補正項１１８は、より高い周波数においてベースバンド伝送信号１１６を加算され得る。従って、ベースバンドフィルタ１１２は、補正項１１８をフィルタリングまたは低減し得る。異なる周波数におけるベースバンドフィルタ１１２の振幅低減は、（ベースバンドフィルタ１１２の設計によって）知られ得る。従って、ベースバンドフィルタ１１２による補正項１１８の低減が予測され得る。補正項１１８の振幅を選択することによって、ベースバンドフィルタ１１２は、スパーの振幅に近い振幅へ補正項１１８を低減するために使用され得る。ベースバンドフィルタ１１２のフィルタパスを使用して、補正項１１８は、スパーの振幅に近いものを有するように低減され得る。言い換えると、補正項１１８の振幅および周波数は、スパーの周波数、スパーの振幅、およびベースバンドフィルタ１１２の構成を使用して決定され得る。
【００２８】
[0036]  ベースバンドフィルタ１１２の出力は、アナログ回路１１４に結合され得る。アナログ回路１１４は、無線デバイス１０２からの伝送に備えて、追加の処理信号を提供し得る。アナログ回路１１４の例は、アップコンバータ、ミキサ、フィルタ、増幅器（例えば、ドライバ増幅器）、電圧制御発振器（ＶＣＯ）、位相同期ループ（ＰＬＬ）、および他の回路を含み得る。アナログ回路１１４は、伝送を可能にするために、伝送信号１２０のキャリア周波数を調整し得る。アナログ回路１１４は、伝送信号１２０の品質を改善するために、伝送信号１２０をさらにフィルタリングまたは増幅し得る。アナログ回路１１４はまた、無線デバイス１０２からの送信のために、干渉を除去し、伝送信号１２０を準備するための他のコンポーネントを含み得る。伝送信号１２０の品質を改善し、伝送のために伝送信号１２０を準備することに加え、アナログ回路１１４はまた、１つまたは複数のスパーを伝送信号１２０に導入し得る。１つまたは複数の補正項１１８は、アナログ回路１１４を介して、伝送信号１２０に導入されたスパーを低減および／または除去するために、補正項生成器１０６によって導入され得る。
【００２９】
[0037]  図２は、送信機１０４においてスパーを低減する補正項伝送信号チェーンを図示するブロック図である。補正項伝送信号チェーン２２２は、無線デバイス１０２上に位置づけられ得る。具体的には、補正項伝送信号チェーン２２２は、無線デバイス１０２内の送信機１０４上で実現され得る。補正項伝送信号チェーン２２２は、ベースバンド伝送信号２１６を受信し得る。ベースバンド伝送信号１１６は、特定の周波数において所望 伝送信号を含み得る。所望伝送信号の周波数は、ベースバンド周波数の近くであり得る。補正項伝送信号チェーン２２２は、出力伝送信号２２０を出力し得る。伝送信号２２０は、１つまたは複数のスパーを含み得る。上述されたように、スパーは、補正項伝送信号チェーン２２２によって伝送信号２２０に導入され得る。
【００３０】
[0038]  補正項伝送信号チェーン２２２は、補正項生成器２０６を含み得る。補正項生成器２０６は、１つまたは複数の補正項２１８を生成し得る。各補正項２１８は、所望伝送信号より高い周波数で位置づけられ得る。補正項２１８の周波数は、既知のスパーの周波数に対応し得る。補正項２１８は、デジタル加算器２０８を使用して、ベースバンド伝送信号２１６をデジタルで加算され得る。ベースバンド伝送信号２１６および補正項２１８は、複合デジタル伝送信号２２４を作り出すために結合され得る。複合デジタル伝送信号２２４は、ベースバンド伝送信号２１６の所望伝送信号と補正項生成器２０６によって提供された補正項２１８の両方を含み得る。
【００３１】
[0039]  補正項伝送信号チェーン２２２内の１つまたは複数のスパーの周波数は、無線デバイス１０２によって知られ得る。例えば、無線デバイス１０２は、スパーを引き起こし得る補正項伝送信号チェーン２２２内で使用される局部発振器（ＬＯ）の周波数を知ることができる。スパーは、複数の局部発振器（ＬＯ）周波数であり得る。１つの構成において、２０メガヘルツ（ＭＨｚ）の周波数を有する局部発振器（ＬＯ）信号生成器２３６は、２０ＭＨｚの倍数であるスパーを作り出し得る。補正項生成器２０６は、注目するスパー（例えば、ベースバンド伝送信号２１６の範囲内であるそれらのスパー、および帯域外輻射要求を乱すそれらのスパー）に対応する補正項２１８を生成し得る。無線デバイス１０２においてスパーを識別するための技法は、図７に関連して以下にさらに詳細に説明される。
【００３２】
[0040]  複合デジタル伝送信号２２４は、デジタル／アナログ変換器（ＤＡＣ）２１０に提供され得る。上述されたように、デジタル／アナログ変換器（ＤＡＣ）２１０は、粗いデジタル／アナログ変換器（ＤＡＣ）２１０であり得る。デジタル／アナログ変換器（ＤＡＣ）２１０は、デジタルドメインからアナログドメインへ複合デジタル伝送信号２２４を変換し得る。デジタル／アナログ変換器（ＤＡＣ）２１０は次に、複合アナログ伝送信号２２６を出力し得る。復号アナログ伝送信号２２６は、（ベースバンド伝送信号２１６の）所望伝送信号と、補正項生成器２０６からの補正項２１８を含み得る。複合アナログ信号２２６は、ベースバンドフィルタ２１２に提供され得る。
【００３３】
[0041]  ベースバンドフィルタ２１２は、複合アナログ伝送信号２２６の複数の周波数の範囲をフィルタリングするように使用され得る。具体的には、ベースバンドフィルタ２１２は、所望伝送信号より高い周波数を有する任意の信号を低減するように構成され得る。例えば、複合アナログ伝送信号２２６内の補正項２１８は、既知のスパーと大体同じ振幅に低減され得る。さらに、ベースバンドフィルタ２１２は、様々な周波数において複数の補正項２１８をフィルタリングし得る。ベースバンドフィルタ２１２は、複合フィルタリングアナログ伝送信号（composite filtered analog transmit signal）２２８を出力し得る。複合フィルタリングアナログ伝送信号２２８は、アップコンバータ２３４に提供され得る。
【００３４】
[0042]  補正項伝送信号チェーン２２２はまた、局部発振器（ＬＯ）信号生成器２３６を含み得る。局部発振器（ＬＯ）信号生成器２３６は、電圧制御発振器（ＶＣＯ）２３８、および位相同期ループ（ＰＬＬ）２４０を含み得る。電圧制御発振器（ＶＣＯ）２３８および位相同期ループ（ＰＬＬ）２４０は、局部発振器（ＬＯ）信号２３２を生成するように使用され得る。局部発振器（ＬＯ）信号２３２は、局部発振器（ＬＯ）信号２３２が生成される場合に、電圧制御発振器（ＶＣＯ）２３８および位相同期ループ（ＰＬＬ）２４０によって導入され得る１つまたは複数のスパーおよび局部発振器（ＬＯ）周波数を含み得る。局部発振器（ＬＯ）信号２３２はアップコンバータ２３４に提供され得る。
【００３５】
[0043]  アップコンバータ２３４は、複合フィルタリングアナログ伝送信号２２８および局部発振器（ＬＯ）信号２３２を受信し得る。アップコンバータ２３４は、複合フィルタリングアナログ伝送信号２２８を局部発振器（ＬＯ）信号２３２の周波数へ混合またはアップコンバートし得る（すなわち、望ましい伝送周波数）。アップコンバータ２３４は、複合アップコンバート伝送信号２３０を出力し得る。複合アップコンバート伝送信号２３０は、アナログドメインにおいて 所望伝送信号、１つまたは複数のスパー、および１つまたは複数の補正項２１８を含み得る。複合アップコンバート伝送信号２３０は、ドライバ増幅器２４２に供給される。
【００３６】
[0044]  １つの構成において、スパーは、局部発振器（ＬＯ）信号２３２を介して導入され得る。局部発振器（ＬＯ）信号２３２が、アップコンバート伝送信号２３０を作り出すために、復号フィルタリングアナログ伝送信号２２８と結合する場合、局部発振器（ＬＯ）信号２３２からのスパーは、伝送信号２２０に導入され得る。補正項２１８および既知のスパーは、共通の周波数を共有するが異なる位相を有するため、補正項２１８は、伝送信号２２０内のスパーを低減し得る。
【００３７】
[0045]  ドライバ増幅器２４２は、複合アップコンバート伝送信号２３０を増幅し得る。ドライバ増幅器２４２は、無線デバイス１０２によって送信されるべき伝送信号２２０を出力し得る。伝送信号２２０は、所望伝送信号および低減されたスパーを含み得る。スパーを低減することによって、得られる伝送信号２２０は、帯域外輻射仕様またはロングタームエボリューション（ＬＴＥ）規格に適合することができ、それは、無線デバイス１０２から伝送するための改善された信号を提供する。伝送信号２２０は、無線デバイス１０２上の他のコンポーネントに提供され得る、または、アンテナによって伝送され得る。
【００３８】
[0046]  図３は、伝送信号チェーン３４４と補正項伝送信号チェーン３２２との間の比較を図示するブロック図である。伝送信号チェーン３４４は、伝送の前のデジタルベースバンド伝送信号３１６の処理の１つの構成を示す。伝送信号チェーン３４４は、それらが伝送信号チェーン３４４によって処理される際の信号の例を示す複数のグラフが添付されている 。伝送信号チェーン３４４は、無線デバイス１０２内の送信機１０４上で実現され得る。伝送信号チェーン３４４は、デジタルベースバンド伝送信号３１６を受信し得る。デジタルベースバンド伝送信号３１６は、特定の周波数における所望伝送信号３５８ａを含み得る。所望伝送信号３５８ａの周波数は、ベースバンド周波数の近くであり得る。スパー３６２は、伝送信号チェーン３４４によって信号に導入され得る。伝送信号チェーン３４４は、１つまたは複数のスパー３６２を有する伝送信号３５２を出力し得る。
【００３９】
[0047]  伝送信号チェーン３４４において、デジタルベースバンド伝送信号３１６は、デジタル／アナログ変換器（ＤＡＣ）３１０ａに提供され得る。デジタル／アナログ変換器（ＤＡＣ）３１０ａは、デジタルドメインからアナログドメインへデジタルベースバンド伝送信号３１６を変換し得る。デジタル／アナログ変換器（ＤＡＣ）３１０ａは、アナログベースバンド伝送信号３４６を出力し得る。アナログベースバンド伝送信号３４６は、所望伝送信号３５８ｂを含み得る。アナログベースバンド伝送信号３４６はベースバンドフィルタ３１２ａに提供され得る。
【００４０】
[0048]  ベースバンドフィルタ３１２ａは、アナログベースバンド伝送信号３４６の複数の周波数の範囲をフィルタリングするように使用され得る。具体的には、ベースバンドフィルタ３１２ａは、所望伝送信号３５８より高い周波数を有する任意の信号を低減するように構成され得る。ベースバンドフィルタ３１２ａは、フィルタリングアナログ伝送信号３４８を出力し得る。高調波または高周波数干渉といった、より高い周波数信号は、フィルタリングアナログ伝送信号３４８から除去または低減され得る。フィルタリングアナログ伝送信号３４８は、アップコンバータ３３４ａに提供され得る。
【００４１】
[0049]  アップコンバータ３３４ａは、フィルタリングアナログ伝送信号３４８および局部発振器（ＬＯ）信号２３２を受信し得る。アップコンバータ３３４ａは、フィルタリングアナログ伝送信号３４８を局部発振器（ＬＯ）信号２３２の周波数へミックスまたはアップコンバートし得る。アップコンバータ３３４ａは、アップコンバート伝送信号３５０を出力し得る。アップコンバート伝送信号３５０は、アナログドメインにおいて所望伝送信号３５８、および１つまたは複数のスパー３６２を含み得る。スパー３６２は、伝送信号チェーン３４４（例えば、局部発振器（ＬＯ）信号生成器）の１つまたは複数のコンポーネントを介して伝導入され得る。アップコンバート伝送信号３５０は、ドライバ増幅器３４２ａに提供され得る。
【００４２】
[0050]  ドライバ増幅器３４２ａは、アップコンバート伝送信号３５０を増幅し得る。ドライバ増幅器３４２ａは、無線デバイス１０２によって伝送されるべき伝送信号３５２を出力し得る。伝送信号３５２は、所望伝送信号３５８ｃ、および１つまたは複数のスパー３６２を含み得る。キャリア周波数において、所望伝送信号３５８ｃは、ドライバ増幅器３４２ａによって増幅されることから利益を享受し得る一方、１つまたは複数のスパー３６２もまた増幅され、それは、伝送信号３５２の品質を悪化させる。いくつかの態様において、１つまたは複数のスパー３６２は、伝送信号３５２に、帯域外輻射仕様、または他のロングタームエボリューション（ＬＴＥ）規格を見捨てる原因となり得る。さらに、１つまたは複数のスパー３６２を有することは、無線デバイス１０２によって伝送される低品質の信号をもたらし得る。
【００４３】
[0051]  補正項伝送信号チェーン３２２はまた、無線デバイス１０２内の送信機１０４上で実現され得る。図３の補正項伝送信号チェーン３２２は、図２に関連する上述された補正項伝送チェーン２２２の１つの構成であり得る。補正項伝送信号チェーン３２２は、特定の周波数において、デジタルベースバンド伝送信号３１６を受信し得る。所望伝送信号３５８ａの周波数は、ベースバンド周波数の近くであり得る。補正項伝送信号チェーン３２２は、１つまたは複数の低減されたスパー３７２を有する低減されたスパー伝送信号３５４を出力し得る。
【００４４】
[0052]  補正項伝送信号チェーン３２２は、補正項生成器３０６を含み得る。補正項生成器３０６は、１つまたは複数の補正項信号３６４を有する、１つまたは複数の補正項３１８を生成し得る。各補正項信号３６４は、所望伝送信号３５８ａより高い周波数で位置づけられ得る。補正項３１８の周波数は、既知のスパーの周波数に対応し得る。デジタルベースバンド伝送信号３１６および補正項３１８は、デジタル加算器３０８に提供され得る。補正項３１８は、デジタル加算器３０８を使用して、デジタルベースバンド伝送信号３１６をデジタルで加算され得る。デジタルベースバンド伝送信号３１６および補正項３１８は、複合デジタル伝送信号３２４を生成するために組み合わされ得る。複合デジタル伝送信号３２４は、デジタルベースバンド伝送信号３１６の所望伝送信号３５６ａと、補正項生成器３０６によって提供された補正項３６６ａの両方を含み得る。補正項３６６ａの周波数は、既知のスパーに対応し得る。補正項３６６ａの振幅は、補正項伝送信号チェーン３２２上のデジタル／アナログ変換器（ＤＡＣ）３１０ｂのダイナミックレンジ内であり得る。
【００４５】
[0053]  複合デジタル伝送信号３２４は、デジタル／アナログ変換器（ＤＡＣ）３１０ｂに提供され得る。いくつかの構成において、デジタル／アナログ変換器（ＤＡＣ）３１０ｂは、制限されたダイナミックレンジを有する、粗いデジタル／アナログ変換器（ＤＡＣ）３１０ｂであり得る。デジタル／アナログ変換器（ＤＡＣ）３１０ｂは、デジタルドメインからアナログドメインへ複合デジタル伝送信号３２４を変換し得る。デジタル／アナログ変換器（ＤＡＣ）３１０ｂは、複合アナログ伝送信号３２６を出力し得る。複合アナログ伝送信号３２６は、所望伝送信号３５６ｂおよび補正項３６６ｂを含み得る。複合アナログ伝送信号３２６はベースバンドフィルタ３１２ｂに提供され得る。
【００４６】
[0054]  ベースバンドフィルタ３１２ｂは、複合アナログ伝送信号３２６の複数の周波数の範囲をフィルタリングするように使用され得る。具体的には、ベースバンドフィルタ３１２ｂは、所望伝送信号３５６ｂより高い周波数を有する任意の信号を低減するように構成され得る。例えば、複合アナログ伝送信号３２６内の補正項３６６ｂは、ベースバンドフィルタ３１２ｂによって、既知のスパーと大体同じ振幅に低減され得る。さらに、ベースバンドフィルタ３１２ｂは、様々な周波数において複数の補正項３１８を適用し得る。ベースバンドフィルタ３１２ｂは、復号フィルタリングアナログ伝送信号３２８を出力し得る。復号フィルタリングアナログ伝送信号３２８は、所望伝送信号３５６および低減されたスパー３６８を含み得る。低減された補正項３６８の周波数および振幅は、既知のスパー（図示されず）に対応し得る。複合フィルタリングアナログ伝送信号３２８はアップコンバータ３３４ｂに提供され得る。
【００４７】
[0055]  アップコンバータ３３４ｂは、複合フィルタリングアナログ伝送信号３２８および局部発振器（ＬＯ）信号２３２を受信し得る。アップコンバータ３３４ｂは、複合フィルタリングアナログ伝送信号３２８を局部発振器（ＬＯ）信号２３２の周波数へミックスまたはアップコンバートし得る。アップコンバータ３３４ｂは、複合アップコンバート伝送信号３３０を出力し得る。複合アップコンバート伝送信号３３０は、アナログドメイン内の所望伝送信号３５６、１つまたは複数の補正項３１８、および１つまたは複数のスパーを含み得る。スパーは、伝送信号チェーン３２２（例えば、局部発振器（ＬＯ）信号生成器２３６）の１つまたは複数のコンポーネントを介して導入され得る。各低減された補正項３１８の周波数および振幅は、既知のスパーの各々の周波数および振幅に対応し得る。各低減された補正項３１８の位相は、各対応するスパーの位相からオフセットされ得る。複合アップコンバート伝送信号３３０は、ドライバ増幅器３４２ｂに提供され得る。
【００４８】
[0056]  ドライバ増幅器３４２ｂは、複合アップコンバート伝送信号３３０を増幅し得る。ドライバ増幅器３４２ｂは、無線デバイス１０２によって送信されるべき低減されたスパー伝送信号３５４を出力し得る。低減されたスパー伝送信号３５４は、所望伝送信号３５６ｄ、および１つまたは複数の低減されたスパー３７２を含み得る。デジタルベースバンド伝送信号３５８ａを加算された各補正項３１８の位相差によって、低減されたスパー３７２は、キャンセルを生じ得る。スパー３７２を低減することによって、得られる低減されたスパー伝送信号３５４は、帯域外輻射仕様またはロングタームエボリューション（ＬＴＥ）規格に適合することができ、それは、無線デバイス１０２から送信するための改善された信号を提供する。低減されたスパー伝送信号３５４は、無線デバイス１０２上の他のコンポーネントに提供され得る、または、アンテナによって伝送され得る。
【００４９】
[0057]  図４は、補正項４１８を使用してスパーの低減を示すグラフを図示する。複合アナログ伝送信号４２６が示される。複合アナログ伝送信号４２６は、デジタル／アナログ変換器（ＤＡＣ）３１０ｂによって提供される複合デジタル伝送信号３２４のアナログバージョンであり得る。復号アナログ伝送信号４２６は、所望伝送信号４５６ａと、補正項生成器１０６からの補正項４１８とを含み得る。
【００５０】
[0058]  補正項生成器４１８は、補正項周波数および補正項振幅を有し得る。補正項４１８の周波数および振幅を決定すると、様々な種類のファクタが考慮され得る。例えば、補正項４１８の周波数は、識別されたスパー４７６の周波数に基づき得る。補正項４１８の振幅を決定することにおいて考慮され得るファクタは、スパーの振幅４７６、スパーの周波数４７６、ベースバンドフィルタ１１２のフィルタパス、送信機１０４の仕様、無線デバイス１０２の仕様、デジタル／アナログ変換器（ＤＡＣ）１１０のダイナミックレンジ、伝送信号１２０と低減されたスパー４７２の間の望ましい比率、および帯域外輻射仕様を含むことができる。いくつかの構成において、補正項４１８の振幅は、無線通信のためのロングタームエボリューション（ＬＴＥ）に従った望ましい振幅へのスパー４７６を低減することに基づいて決定され得る。さらに、スパー４７６に対する補正項４１８の周波数および振幅を調節することに関する他のファクタはまた、補正項４１８の周波数および振幅を決定する場合に使用され得る。
【００５１】
[0059]  補正項増幅差分４７８がまた、示される。補正項振幅差分は、デジタル／アナログ変換器（ＤＡＣ）１１０のダイナミックレンジ内に収まり得る。従って、所望伝送信号４５６ａの振幅および補正項４１８の振幅は、デジタル／アナログ変換器（ＤＡＣ）のダイナミックレンジ内であり得る。いくつかのケースにおいて、補正項４１８は、所望伝送信号４５６ａの振幅より少し小さいか、または大体同じ振幅であり得る。
【００５２】
[0060]  複合フィルタリングアナログ伝送信号４２８がまた、示される。複合フィルタリングアナログ伝送信号４２８は、複合アナログ伝送信号４２６をフィルタリングするように使用される、ベースバンドフィルタ１１２の出力であり得る。復号フィルタリングアナログ伝送信号４２８は、所望伝送信号４５６ｂおよび低減された補正項４６６を含み得る。補正項フィルタ低減（correction term filter reduction）４７０がまた、示される。補正項フィルタ低減４７０は、補正項４１８上のベースバンドフィルタ１１２の効果に起因し得る。低減された補正項４６６の周波数および振幅は、補正項フィルタ低減４７０と同様に、識別されたスパー４７６に対応し得る。
【００５３】
[0061]  補正されないスパー４７４がまた、示される。補正されないスパー４７４は、補正項４１８に対応する周波数において、スパー４７６を含み得る。一般に、スパー４７６は、送信機１０４が処理することを意味するバンドの外側にある無線デバイス１０２または送信機１０４によって生成された１つまたは複数の信号を含み得る。無線デバイス１０２の伝送信号チェーン３４４内のスパー４７６は、伝送信号１２０を妨げ得る。スパー４７６はまた、スプリアストーン、干渉トーン、ロングタームエボリューション（ＬＴＥ）４ｆｍｏｄターム（4fmod term）、スプリアス輻射、または出力輻射とも呼ばれ得る。スパー４７６は、１つの特定の周波数において単一のトーンであり得る。スパー４７６はまた、複数の周波数の範囲内の複数のトーンを含み得る。無線デバイス１２０内の伝送信号１２０は、１つまたは複数のスパー４７６を含み得る。スパー４７６は、補正項４１８と異なる位相を有し得る。スパー４７６の異なる位相および補正項４１８は、スパー４７６を低減するように使用され得る。
【００５４】
[0062]  低減されたスパー伝送信号４５４がまた、示される。低減されたスパー伝送信号４５４は、所望伝送信号４５６ｃ（キャリア周波数における）、および低減されたスパー４７２を含み得る。ベースバンド伝送信号１１６を加算された補正項４１８の位相差によって、低減されたスパー４７２は、キャンセルを生じ得る。出力対スパー振幅差分４８２がまた、示される。出力対スパー振幅差分４８２は、所望伝送信号４５６ｃと低減されたスパー４７２との間の振幅における差分であり得る。スパー４７２を低減し、出力対スパー振幅差分４８２を最大にすることによって、得られる低減されたスパー伝送信号４５４は、帯域外輻射仕様または他のロングタームエボリューション（ＬＴＥ）規格に適合することができ、それは、無線デバイス１０２から送信するための改善された信号を提供する。低減されたスパー伝送信号４５４は、無線デバイス１０２上の他のコンポーネントに提供され得る、または、アンテナによって伝送され得る。
【００５５】
[0063]  補正項４１８は、スパー振幅差分４８２への特定の出力を生成するために設計され得る。例えば、補正項４１８は、所望伝送信号４５６ｃの振幅と低減されたスパー４７２の振幅の間で、１０００：１の出力対スパー振幅差分４８２を作成するように生成され得る。
【００５６】
[0064]  図５は、スパー４７６を低減するための方法５００のフロー図である。方法は、無線デバイス１０２によって行われ得る。無線デバイス１０２は、補正項１１８を生成し得る（５０２）。補正項１１８は、補正項生成器１０６によって生成され得る。補正項１１８は、特定の周波数および振幅を有し得る。補正項１１８の周波数および振幅を決定すると、様々な種類のファクタが考慮され得る。例えば、補正項１１８の周波数は、識別されたスパー４７６の周波数に基づき得る。補正項１１８の振幅を決定することにおいて考慮され得るファクタは、スパー４７６の振幅、スパー４７６の周波数、ベースバンドフィルタ１１２のフィルタ特性、送信機１０４の仕様、無線デバイス１０２の仕様、デジタル／アナログ変換器（ＤＡＣ）１１０のダイナミックレンジ、伝送信号１２０と低減されたスパーとの間の望ましい比率、および帯域外輻射仕様を含むことができる。いくつかの構成において、補正項１１８の振幅は、無線通信のためのロングタームエボリューション（ＬＴＥ）に従った望ましい振幅へのスパー４７６を低減することに基づいて決定され得る。
【００５７】
[0065]  補正項１１８は、ベースバンド伝送信号１１６（例えば、デジタルベースバンド伝送信号３１６）を加算され得る（５０４）。無線デバイス１０２は、複合デジタル伝送信号２２４を得るために、デジタル加算器１０８を使用して、ベースバンド伝送信号１１６を補正項１１８に加算し得る。複合デジタル伝送信号２２４は、デジタル／アナログ変換器（ＤＡＣ）１１０に提供され得る。
【００５８】
[0066]  無線デバイス１０２は、デジタル／アナログ変換器（ＤＡＣ）１１０を使用して、複合デジタル伝送信号２２４をデジタルドメインからアナログドメインへ変換し得る（５０６）。いくつかの構成において、デジタル／アナログ変換器（ＤＡＣ）１１０は、デジタル値の狭いダイナミックレンジを有する、粗いデジタル／アナログ変換器（ＤＡＣ）１１０であり得る。デジタル／アナログ変換器（ＤＡＣ）１１０は、複合アナログ伝送信号２２６を出力し得る。複合アナログ信号２２６は、ベースバンドフィルタ１１２に提供され得る。
【００５９】
[0067]  無線デバイス１０２は、ベースバンドフィルタ１１２を使用して、複合アナログ伝送信号２２６をフィルタリングし得る（５０８）。ベースバンドフィルタ１１２は、所望伝送信号３５６の周波数上の１つまたは複数の信号をフィルタリングまたは低減するための回路を含み得る。上述されたように、補正項１１８は、より高い周波数においてベースバンド伝送信号１１６を加算され得る。従って、ベースバンドフィルタ１１２は、補正項１１８をフィルタリングまたは低減し得る。異なる周波数におけるベースバンドフィルタ１１２の振幅低減は、（ベースバンドフィルタ１１２の設計によって）知られ得る。従って、ベースバンドフィルタ１１２による補正項１１８の低減が予測され得る。補正項１１８の振幅を選択することによって、ベースバンドフィルタ１１２は、スパー４７６の特定の振幅に対し補正項１１８を低減するために使用され得る。
【００６０】
[0068]  無線デバイス１０２は、低減された補正項３６８を使用して、伝送信号１２０のスパー４７６を低減し得る（５１０）。補正項１１８の位相は、スパー４７６の位相からオフセットされ得る。補正項１１８および既知のスパー４７６が、共通の周波数を共有するが異なる位相を有するため、補正項１１８は、低減されたスパー伝送信号３５４を作り出すために、伝送信号１２０内のスパー４７６を低減し得る。スパー４７６を低減することによって、得られる低減されたスパー伝送信号３５４は、帯域外輻射仕様、または他のロングタームエボリューション（ＬＴＥ）規格に適合することができ、それは、無線デバイス１０２から送信するための改善された信号を提供する。低減されたスパー伝送信号３５４は、無線デバイス１０２上の他のコンポーネントに提供され得る。無線デバイス１０２はまた、アンテナを使用して、低減されたスパー伝送信号３５４を伝送し得る（５１２）。
【００６１】
[0069]  図６は、スパー４７６を低減するためのより詳細な方法６００のフロー図である。方法６００は無線デバイス１０２によって実行され得る。無線デバイス１０２は、補正項１１８を生成し得る（６０２）。補正項１１８は、補正項生成器１０６によって生成され得る。補正項１１８は、特定の周波数および振幅を有し得る。補正項１１８の周波数および振幅を決定すると、様々な種類のファクタが考慮され得る。例えば、補正項１１８の周波数は、識別されたスパー４７６の周波数に基づき得る。補正項１１８の振幅を決定することにおいて考慮され得るファクタは、スパー４７６の振幅、スパー４７６の周波数、ベースバンドフィルタ１１２のフィルタパス、送信機１０４の仕様、無線デバイス１０２の仕様、デジタル／アナログ変換器（ＤＡＣ）１１０のダイナミックレンジ、伝送信号１２０と低減されたスパー３７２の間の望ましい比率（すなわち、出力対スパー振幅差分４８２）、および帯域外輻射仕様を含み得る。いくつかの構成において、補正項１１８の振幅は、無線通信のためのロングタームエボリューション（ＬＴＥ）に従った望ましい振幅へのスパー４７６を低減することに基づいて決定され得る。
【００６２】
[0070]  補正項１１８は、ベースバンド伝送信号１１６（例えば、デジタルベースバンド伝送信号３１６）を加算され得る（６０４）。無線デバイス１０２は、複合デジタル伝送信号２２４を得るために、デジタル加算器１０８を使用して、ベースバンド伝送信号１１６を補正項１１８に加算し得る（６０４）。複合デジタル伝送信号２２４は、デジタル／アナログ変換器（ＤＡＣ）１１０に提供され得る。
【００６３】
[0071]  無線デバイス１０２は、デジタル／アナログ変換器（ＤＡＣ）１１０を使用して、複合デジタル伝送信号２２４をデジタルドメインからアナログドメインへ変換し得る（６０６）。いくつかの構成において、デジタル／アナログ変換器（ＤＡＣ）１１０は、デジタル値の狭いダイナミックレンジを有する、粗いデジタル／アナログ変換器（ＤＡＣ）１１０であり得る。デジタル／アナログ変換器（ＤＡＣ）１１０は、複合アナログ伝送信号２２６を出力し得る。複合アナログ信号２２６はベースバンドフィルタ１１２に提供され得る。
【００６４】
[0072]  無線デバイス１０２は、ベースバンドフィルタ１１２を使用して、複合アナログ伝送信号２２６をフィルタリングし得る（６０８）。ベースバンドフィルタ１１２は、所望伝送信号３５６の周波数上の１つまたは複数の信号をフィルタリングまたは低減するための回路を含み得る。上述されたように、補正項１１８は、より高い周波数においてベースバンド伝送信号１１６を加算され得る。従って、ベースバンドフィルタ１１２は、補正項１１８をフィルタリングまたは低減し得る。異なる周波数におけるベースバンドフィルタ１１２の振幅低減は、（ベースバンドフィルタ１１２の設計によって）知られ得る。従って、ベースバンドフィルタ１１２による補正項１１８の低減が予測され得る。補正項１１８の振幅を選択することによって、ベースバンドフィルタ１１２は、スパー４７６の特定の振幅に対し補正項１１８を低減するために使用され得る。ベースバンドフィルタ１１２は、復号フィルタリングアナログ伝送信号２２８を作り出し得る。複合フィルタリングアナログ伝送信号２２８はアップコンバータ２３４に提供され得る。
【００６５】
[0073]  無線デバイス１０２は、局部発振器（ＬＯ）信号２３２を生成し得る（６１０）。局部発振器（ＬＯ）信号２３２は、局部発振器（ＬＯ）信号生成器２３６を使用して生成され得る。局部発振器（ＬＯ）信号生成器２３６は、局部発振器（ＬＯ）信号２３２を生成するために使用される、電圧制御発振器（ＶＣＯ）２３８、および位相同期ループ（ＰＬＬ）２４０を含み得る。局部発振器（ＬＯ）信号２３２は、局部発振器（ＬＯ）信号２３２が生成される場合、電圧制御発振器（ＶＣＯ）２３８および位相同期ループ（ＰＬＬ）２４０によって導入され得る１つまたは複数のスパー４７６および局部発振器（ＬＯ）周波数を含み得る。局部発振器（ＬＯ）信号２３２は、アップコンバータ２３４に提供され得る。
【００６６】
[0074]  無線デバイス１０２は、アップコンバータ２３４を使用する複合フィルタリング伝送信号２２８、および局部発振器（ＬＯ）信号２３２をアップコンバートし得る（６１２）。具体的には、アップコンバータ２３４は、複合フィルタリングアナログ伝送信号２２８を局部発振器（ＬＯ）信号２３２の周波数へミックスまたはアップコンバートし得る。アップコンバータ２３４は、複合アップコンバート伝送信号２３０を出力し得る。複合アップコンバート伝送信号２３０は、ドライバ増幅器２４２に提供され得る。
【００６７】
[0075]  無線デバイス１０２は、ドライバ増幅器２４２を使用して、複合アップコンバート伝送信号２３０を増幅し得る（６１４）。ドライバ増幅器２４２は、伝送信号１２０を出力し得る。無線デバイス１０２はまた、低減された補正項３６８を使用して、伝送信号１２０のスパー４７６を低減し得る。補正項１１８の位相は、スパー４７６の位相からオフセットされ得る。補正項１１８および既知のスパー４７６が、共通の周波数を共有するが異なる位相を有するため、補正項１１８は、低減されたスパー伝送信号３５４を得るために、伝送信号１２０内のスパー４７６を低減し得る（６１６）。スパー４７６は、低減された補正項４６６を使用して低減され得る。スパー４７６を低減することによって、得られる低減されたスパー伝送信号３５４は、帯域外輻射仕様、または他のロングタームエボリューション（ＬＴＥ）規格に適合することができ、それは、無線デバイス１０２から伝送するための改善された信号を提供する。低減されたスパー伝送信号３５４は、無線デバイス１０２上の他のコンポーネントに提供され得る。１つの構成において、無線デバイス１０２は、アンテナを使用して、低減されたスパー伝送信号３５４を伝送し得る（６１８）。
【００６８】
[0076]  図７は、スパー周波数およびスパー振幅に基づいて補正項１１８を生成するための方法７００のフロー図である。方法７００は無線デバイス１０２によって実行され得る。方法７００は、無線デバイス１０２内のベースバンド伝送信号１１６の処理中に生成される、１つまたは複数のスパー４７６に関して行われ得る。無線デバイス１０２は、スパー周波数およびスパー振幅を識別し得る（７０２）。スパー周波数およびスパー振幅は、無線デバイス１０２の設計に基づいて、無線デバイス１０２のテストに基づいて（例えば、オペレータまたは自動化されたテスト機器）、または１つまたは複数のスパー４７６を識別する無線デバイス内の回路に基づいて、知られ得る。例として、無線デバイス１０２は、局部発振器（ＬＯ）信号生成器２３６によって導入されるスパー４７６の周波数を知ることができる。スパー４７６は、局部発振器（ＬＯ）周波数の倍数であり得る。１つの構成において、２０メガヘルツ（ＭＨｚ）の周波数である局部発振器（ＬＯ）は、２０ＭＨｚの倍数であるスパー４７６を作り出し得る。他の方法はまた、１つまたは複数のスパー４７６のスパー周波数およびスパー振幅を識別する（７０２）際に使用され得る。
【００６９】
[0077]  無線デバイス１０２は、デジタル／アナログ変換器（ＤＡＣ）１１０のダイナミックレンジを決定し得る（７０４）。デジタル／アナログ変換器（ＤＡＣ）１１０は、補正項伝送信号チェーン２２２の一部として送信機１０４において実現され得る。いくつかの構成において、デジタル／アナログ変換器（ＤＡＣ）１１０は、制限されたダイナミックレンジを有する、粗いデジタル／アナログ変換器（ＤＡＣ）１１０であり得る。
【００７０】
[0078]  無線デバイス１０２は、ベースバンドフィルタ１１２の周波数応答を得ることができる（７０６）。ベースバンドフィルタ１１２は、所望伝送信号３５６の周波数上の１つまたは複数の信号をフィルタリングまたは低減し得る。異なる周波数におけるベースバンドフィルタ１１２の周波数応答は、（ベースバンドフィルタ１１２の設計によって）知られ得る。従って、ベースバンドフィルタ１１２による補正項１１８の低減が予測され得る。
【００７１】
[0079]  無線デバイス１０２はまた、所望出力対スパー振幅差分４８２を決定し得る（７０８）。出力対スパー振幅差分４８２は、所望伝送信号３５６と低減されたスパー３７２との間の振幅における差分であり得る。出力対スパー振幅差分４８２は、帯域外輻射仕様または他のロングタームエボリューション（ＬＴＥ）規格といった、様々な種類のファクタに基づいて選択され得る。出力対スパー振幅差分４８２は、所望伝送信号３５６と低減されたスパー３７２との間の振幅低減のための任意の所望比率であり得る。一例において、所望出力対スパー振幅差分４８２は、キャリアに対して−７０デシベル（ｄＢｃ）であり得る。別の例において、出力対スパー振幅差分４８２は、−８５ｄＢｃであり得る。
【００７２】
[0080]  無線デバイス１０２は、所望補正項周波数を得ることができる（７１０）。補正項１１８の周波数は、スパー周波数に基づき得る。補正項１１８の周波数はまた、ベースバンドフィルタ１１２の周波数応答といった、他のファクタに基づき得る。無線デバイス１０２はまた、所望補正項振幅を取得し得る（７１２）。所望補正項振幅は、様々な種類のファクタに基づき得る。所望補正項の振幅を決定することにおいて考慮され得るファクタの例は、スパー４７６の振幅、スパー４７６の周波数、ベースバンドフィルタ１１２のフィルタの仕様、送信機１０４の周波数、無線デバイス１０２の仕様、デジタル／アナログ変換器（ＤＡＣ）１１０のダイナミックレンジ、所望伝送信号３５６と低減されたスパー３７２との間の望ましい比率、および帯域外輻射仕様を含むことができる。いくつかの構成において、補正項１１８の振幅は、無線通信のためのロングタームエボリューション（ＬＴＥ）に従った望ましい振幅へのスパーを低減することに基づいて決定され得る。
【００７３】
[0081]  無線デバイス１０２は、所望補正項周波数、および所望補正項振幅を有する補正項１１８を生成し得る（７１４）。補正項１１８は、補正項伝送信号チェーン２２２上の補正項生成器１０６を使用して生成され得る。無線デバイス１０２は、複合デジタル伝送信号２２４を作り出すために、ベースバンド伝送信号１１６（例えば、デジタルベースバンド伝送信号３１６）を補正項１１８に加算し得る（７１６）。複合デジタル伝送信号２２４は、伝送信号１２０を作り出すための補正項伝送信号チェーン２２２によって処理され得る。
【００７４】
[0082]  図８は、基地局８０２内に含まれ得る特定のコンポーネントを図示する。基地局はまた、アクセスポイント、ブロードキャスト送信機、ノードＢ、発展型ノードＢ、等と呼ばれることができ、それらの機能のうちのいくつかまたはすべてを含み得る。基地局８０２はプロセッサ８０３を含む。プロセッサ８０３は、汎用単一またはマルチチップマイクロプロセッサ（例えば、ＡＲＭ）、特殊用途向けマイクロプロセッサ（例えば、デジタル信号プロセッサ（ＤＳＰ））、マイクロプロセッサ、プログラマブルゲートアレイ、等であり得る。プロセッサ８０３は、中央処理ユニット（ＣＰＵ）と呼ばれ得る。単一のプロセッサ８０３のみが、図８の基地局８０２において図示されるが、代替の構成として、プロセッサの組み合わせ（例えば、ＡＲＭおよびＤＳＰ）が使用され得る。
【００７５】
[0083]  基地局８０２はまた、メモリ８０５を含む。メモリ８０５は、電子情報を記憶できる任意の電子コンポーネントであり得る。メモリ８０５は、ランダムアクセスメモリ（ＲＡＭ）、読取専用メモリ（ＲＯＭ）、磁気ディスク記憶媒体、光学記憶媒体、ＲＡＭにおけるフラッシュメモリデバイス、プロセッサと共に含まれるオンボードメモリ、ＥＰＲＯＭメモリ、ＥＥＰＲＯＭメモリ、レジスタ、およびそれらの組み合わせを含むその他のものとして実現され得る。
【００７６】
[0084]  データ８０７ａおよび命令８０９ａは、メモリ８０５に記憶され得る。命令８０９ａは、本明細書に開示される方法を実現するためにプロセッサ８０３によって実行可能であり得る。命令８０９ａを実行することは、メモリ８０５内に記憶されるデータ８０７ａの使用を含み得る。プロセッサ８０３が命令８０９ａを実行する場合、命令８０９ｂの様々な部分がプロセッサ８０３にロードされ、データ８０７ｂの様々な部分がプロセッサ８０３にロードされ得る。
【００７７】
[0085]  基地局８０２はまた、基地局８０２への信号の送信と、それからの信号の受信を可能にするために、送信機８１１および受信機８１３を含み得る。送信機８１１および受信機８１３は、トランシーバ８１５と総称され得る。アンテナ８１７は、トランシーバ８１５に電気的に連結され得る。基地局８０２はまた、複数の送信機、複数の受信機、複数のトランシーバ、および／または複数のアンテナを含み得る（図示されず）。
【００７８】
[0086]  基地局８０２は、デジタル信号プロセッサ（ＤＳＰ）８２１を含み得る。基地局８０２はまた、通信インターフェース８２３を含み得る。通信インターフェース８２３は、ユーザが基地局８０２と相互に作用することを可能にし得る。
【００７９】
[0087]  基地局８０２の様々なコンポーネントが、１つまたは複数のバスによって共に結合され、それは、電力バス、制御信号バス、ステータス信号バス、データバス等を含み得る。明確化のために、様々なバスがバスシステム８１９として図８に図示される。
【００８０】
[0088]  図９は、無線通信デバイス９０２内に含まれ得る特定のコンポーネントを図示する。無線通信デバイス９０２は、アクセス端末、モバイル局、ユーザ機器（ＵＥ）等であり得る。無線通信デバイス９０２は、プロセッサ９０３を含む。プロセッサ９０３は、汎用単一あるいはマルチチップマイクロプロセッサ（例えば、ＡＲＭ）、特殊用途向けマイクロプロセッサ（例えば、デジタル信号プロセッサ（ＤＳＰ））、マイクロプロセッサ、プログラマブルゲートアレイ等であり得る。プロセッサ９０３は、中央処理ユニット（ＣＰＵ）と称され得る。単一のプロセッサ９０３のみが、図９の無線通信デバイス９０２において図示されるが、代替の構成として、プロセッサの組み合わせ（例えば、ＡＲＭおよびＤＳＰ）が使用され得る。
【００８１】
[0089]  無線通信デバイス９０２はまた、プロセッサ９０５を含む。メモリ９０５は、電子情報を記憶できる任意の電子コンポーネントであり得る。メモリ９０５は、ランダムアクセスメモリ（ＲＡＭ）、読取専用メモリ（ＲＯＭ）、磁気ディスク記憶媒体、光学記憶媒体、ＲＡＭにおけるフラッシュメモリデバイス、プロセッサと共に含まれるオンボードメモリ、ＥＰＲＯＭメモリ、ＥＥＰＲＯＭメモリ、レジスタ、およびそれらの組み合わせを含むその他のものとして実現され得る。
【００８２】
[0090]  データ９０７ａおよび命令９０９ａは、メモリ９０５に記憶され得る。命令９０９ａは、本明細書に開示される方法を実現するためにプロセッサ９０３によって実行可能であり得る。命令９０９ａを実行することは、メモリ９０５内に記憶されるデータ９０７ａの使用を含み得る。プロセッサ９０３が命令９０９を実行する場合、命令９０９ｂの様々な部分がプロセッサ９０３にロードされ、データ９０７ｂの様々な部分がプロセッサ９０３にロードされ得る。
【００８３】
[0091]  無線通信デバイス９０２はまた、アンテナ９１７を介して、無線通信デバイス９０２への信号の送信と、それからの信号の受信を可能にするために、送信機９１１および受信機９１３を含み得る。送信機９１１および受信機９１３は、トランシーバ９１５と総称され得る。無線通信デバイス９０２はまた、複数の送信機、複数のアンテナ、複数の受信機、および／または複数のトランシーバを含み得る（図示されず）。
【００８４】
[0092]  無線通信デバイス９０２は、デジタル信号プロセッサ（ＤＳＰ）９２１を含み得る。無線通信デバイス９０２はまた、通信インターフェース９２３を含み得る。通信インターフェース９２３は、ユーザが無線通信デバイス９０２と相互に作用することを可能にし得る。
【００８５】
[0093]  無線通信デバイス９０２の様々なコンポーネントは、電力バス、制御信号バス、ステータス信号バス、データバス等を含み得る１または複数のバスによって一緒に結合され得る。明確化のために、様々なバスがバスシステム９１９として図９に図示される。
【００８６】
[0094]  「決定すること」という用語は、様々なアクションを包含し、従って、「決定すること」は、計算すること、算出すること、処理すること、導出すること、調査すること、調べること（例えば、表、データベース、または他のデータ構造を調べること）、確認すること、等を含むことができる。また、「決定すること」は、受信すること（例えば、情報を受信すること）、アクセスすること（例えば、メモリ内のデータにアクセスすること）等を含むことができる。また、「決定すること」は、解決すること、選択すること、選ぶこと、確立すること、等を含むことができる。
【００８７】
[0095]  「に基づく」という用語は、そうではないと明確に指定されていない限りは、「のみに基づく」ことを意味するわけではない。言い換えると、「に基づく」という用語は、「のみに基づく」および「に少なくとも基づく」の両方を説明する。
【００８８】
[0096]  「プロセッサ」という用語は、汎用プロセッサ、中央処理演算装置（ＣＰＵ）、マイクロプロセッサ、デジタル信号プロセッサ（ＤＳＰ）、コントローラ、マイクロコントローラ、ステートマシン、等を包含するように広く解釈されるべきである。いくつかの状況では、「プロセッサ」は、特定用途向け集積回路（ＡＳＩＣ）、プログラマブル論理デバイス（ＰＬＤ）、フィールドプログラマブルゲートアレイ（ＦＰＧＡ）、等を指し得る。「プロセッサ」という用語は、処理デバイスの組み合わせ、例えば、ＤＳＰとマイクロプロセッサの組み合わせ、複数のマイクロプロセッサ、ＤＳＰコアと連結した１つまたは複数のマイクロプロセッサ、または、任意の他のこのような構成を指し得る。
【００８９】
[0097]  「メモリ」という用語は、電子情報を記憶できる任意の電子コンポーネントを包含するように広く解釈されるべきである。メモリという用語は、ランダムアクセスメモリ（ＲＡＭ）、読取専用メモリ（ＲＯＭ）、不揮発性ランダムアクセスメモリ（ＮＶＲＡＭ）、プログラマブル読取専用メモリ（ＰＲＯＭ）、消去可能なプログラマブル読取専用メモリ（ＥＰＲＯＭ）、電気的消去可能ＰＲＯＭ（ＥＥＰＲＯＭ）、フラッシュメモリ、磁気または光学データ記憶装置、レジスタ等のような、様々なタイプのプロセッサ可読媒体を指し得る。メモリは、プロセッサがそのメモリから情報を読み取ることができるおよび／またはそれに情報を書き込むことができる場合、そのプロセッサと電気通信していると考えられる。プロセッサに統合されているメモリは、そのプロセッサと電子通信している。
【００９０】
[0098]  「命令」および「コード」という用語は、任意のタイプのコンピュータ可読ステートメントを含むように広く解釈されるべきである。例えば、「命令」および「コード」という用語は、１つまたは複数のプログラム、ルーティン、サブルーティン、機能、手順等を指し得る。「命令」および「コード」は、単一のコンピュータ可読ステートメント、あるいは多くのコンピュータ可読ステートメントを備え得る。
【００９１】
[0099]  ここで説明される機能は、ハードウェアによって実行されるソフトウェアまたはファームウェアにおいて実現され得る。機能は、コンピュータ可読媒体上に、１つまたは複数の命令として記憶され得る。「コンピュータ可読媒体」または「コンピュータプログラム製品」という用語は、コンピュータまたはプロセッサによってアクセスされることができる任意の有形記憶媒体を指す。限定ではなく例として、コンピュータ可読媒体は、ＲＡＭ、ＲＯＭ、ＥＥＰＲＯＭ、ＣＤ−ＲＯＭ、または他の光学ディスク記憶装置、磁気ディスク記憶装置あるいは他の磁気記憶デバイス、または、命令あるいはデータ構造の形態で所望プログラムコードを搬送あるいは記憶するために使用されることができ、かつ、コンピュータによってアクセスされることができる任意の他の媒体を含み得る。ここで使用される場合、ディスク（disk）およびディスク（disc）は、コンパクトディスク（ＣＤ）、レーザーディスク（登録商標）、光ディスク、デジタル多目的ディスク（ＤＶＤ）、フロッピー（登録商標）ディスクおよびブルーレイ（登録商標）ディスクを含み、ここでディスク（disks）は、通常磁気的にデータを再生し、一方ディスク（discs）は、レーザーを用いて光学的にデータを再生する。コンピュータ可読媒体は、有形および非一時的であり得ることが留意されるべきである。「コンピュータプログラム製品」という用語は、コンピューティングデバイスまたはプロセッサによって実行、処理、または計算され得る（例えば、「プラグラム」の）コードまたは命令と組み合わせたコンピューティングデバイスまたはプロセッサを指す。本明細書で使用されるように、「コード」という用語は、コンピューティングデバイスまたはプロセッサによって実行可能であるソフトウェア、命令、コード、またはデータを指し得る。
【００９２】
[00100]ソフトウェアまたは命令はまた、伝送媒体によって伝送され得る。例えば、ソフトウェアが、同軸ケーブル、光ファイバーケーブル、ツイストペア、デジタル加入者回線（ＤＳＬ）、または、赤外線、無線、およびマイクロ波のようなワイヤレス技術を使用して、ウェブサイト、サーバ、または、他のリモートソースから送信される場合には、同軸ケーブル、光ファイバーケーブル、ツイストペア、ＤＳＬ、または、赤外線、無線、およびマイクロ波のようなワイヤレス技術は、送信媒体の定義に含まれる。
【００９３】
[00101]  本明細書に開示された方法は、説明された方法を達成するための１つまたは複数のステップまたは動作を備える。方法のステップおよび／または動作は、本願の特許請求の範囲から逸脱することなく、互いに置き換えられ得る。言い換えると、ステップまたは動作の具体的な順序は、記載されている方法の適切な動作に必要とされない限り、具体的なステップおよび／または動作の順序および／または使用は、特許請求の範囲から逸脱することなく変形され得る。
【００９４】
[00102]  さらに、図５、６、および７によって図示されたもののような、本明細書で説明された方法および技法を行うためのモジュールおよび／または他の適切な手段は、ダウンロードされることができ、および／または、そうでなければ、デバイスによって取得され得るように適用されるべきである。例えば、デバイスは、本明細書で説明された方法を行うための手段の転送を容易にするために、サーバに結合され得る。代替として、本明細書で説明される様々な方法は、デバイスが、記憶手段（例えば、ランダムアクセスメモリ（ＲＡＭ）、読取専用メモリ（ＲＯＭ）、コンパクトディスク（ＣＤ）のような物理記憶媒体またはフロッピーディスクなど）をそのデバイスに結合または提供する際に様々な方法を取得し得るように、記憶手段を介して提供され得る。さらに、デバイスに対して、本明細書で説明される方法および技法を提供するための任意の他の適切な技法が利用されることができる。
【００９５】
[00103]  特許請求の範囲が、上述された厳密な構成およびコンポーネントに限定されないことが理解されるべきである。様々な変形、変更、および、バリエーションが、本明細書で説明されたシステム、方法、および装置の、配置、作用、および詳細において、特許請求の範囲から逸脱することなく行われ得る。
【図１】
2015507447.tif 000003
【図２】
2015507447.tif 000004
【図３】
2015507447.tif 000005
【図４】
2015507447.tif 000006
【図５】
2015507447.tif 000007
【図６】
2015507447.tif 000008
【図７】
2015507447.tif 000009
【図８】
2015507447.tif 000010
【図９】
2015507447.tif 000011
【国際調査報告】
2015507447.tif 000012
2015507447.tif 000013